(57)【要約】【課題】乾燥装置の安全性の向上を図る。【解決手段】搬入口を介して搬入された、インクが塗布された用紙を、熱源で熱することで、インクを乾燥させて搬出口から搬出する乾燥装置であって、用紙の紙詰まり時において、第１のシャッタ部で搬入口を閉状態とし、第２のシャッタ部で搬出口を閉状態とすると共に、第３のシャッタ部で熱源を遮断する。そして、閉状態とされた第１、第２のシャッタ部を、第１、第２のロック部でロックして、開方向への移動を抑止する。これにより、乾燥装置を密閉状態することができ、乾燥装置内にユーザが手を入れる等の不都合を防止できる。また、乾燥装置内に対する、熱源からの熱風の流入等も遮断でき、乾燥装置内の温度を徐々に下げることができる。従って、安全性の高い乾燥装置を提供でき、これを通じて画像形成装置等のさらなる安全性の向上を図ることができる。【選択図】図１
2020128050.tif 000002
【特許請求の範囲】
【請求項１】
搬入口を介して搬入された、インクが塗布された用紙を熱源で熱することで、インクを乾燥させた状態で搬出口から搬出する乾燥装置であって、
前記用紙の紙詰まり時において、前記搬入口を閉状態とする第１のシャッタ部と、
前記用紙の紙詰まり時において、前記搬出口を閉状態とする第２のシャッタ部と、
前記用紙の紙詰まり時において、前記熱源を遮断する第３のシャッタ部と、
閉状態とされた前記第１のシャッタ部の、開方向への移動を抑止する第１のロック部と、
閉状態とされた前記第２のシャッタ部の、開方向への移動を抑止する第２のロック部と、
を有することを特徴とする乾燥装置。
【請求項２】
前記乾燥装置の内部の温度を検出する温度センサを、さらに備え、
前記第１のロック部及び前記第２のロック部は、前記温度センサにより、前記乾燥装置の内部の温度が所定以下の温度となったことが検出された際に、前記第１のシャッタ部及び前記第２のシャッタ部を、開方向へ移動可能とすること
を特徴とする請求項１に記載の乾燥装置。
【請求項３】
閉状態とされた前記第３のシャッタ部の、開方向への移動を抑止する第３のロック部を、さらに備えること
を特徴とする請求項１に記載の乾燥装置。
【請求項４】
前記乾燥装置の内部の温度を検出する温度センサを、さらに備え、
前記第１のロック部、前記第２のロック部及び第３のロック部は、前記温度センサにより、前記乾燥装置の内部の温度が所定以下の温度となったことが検出された際に、前記第１のシャッタ部、前記第２のシャッタ部又は前記第３のシャッタ部を、それぞれ開方向へ移動可能とすること
を特徴とする請求項３に記載の乾燥装置。
【請求項５】
少なくとも前記用紙の紙詰まり時から、前記温度センサにより、前記乾燥装置の内部の温度が所定以下の温度となったことが検出されるまでの間、前記乾燥装置を外部から空冷又は水冷により冷却する冷却装置を、さらに備えること
を特徴とする請求項２又は請求項４に記載の乾燥装置。
【請求項６】
前記熱源は、
熱を発生するヒータ部と、
前記ヒータ部で発生した熱に基づいて熱風を形成し、前記乾燥装置の内部を搬送される前記用紙に吹き付ける吹付ファンと、を備え、
前記用紙の紙詰まり時において、前記熱源のうち、少なくとも前記ヒータ部を停止させる停止制御部と、
を有することを特徴とする請求項１から請求項５のうち、いずれか一項に記載の乾燥装置。
【請求項７】
前記第１のシャッタ部は、閉状態時に、前記第１のロック部と接触して、開方向への移動を抑止する第１のロックバーと、開状態時に、前記第１のロック部と接触して、閉方向への移動を抑止する第２のロックバーと、を備え、
前記第２のシャッタ部は、閉状態時に、前記第２のロック部と接触して、開方向への移動を抑止する第３のロックバーと、開状態時に、前記第２のロック部と接触して、閉方向への移動を抑止する第４のロックバーと、を備え、
前記第１のシャッタ部及び前記第２のシャッタ部は、前記第１のロック部又は前記第２のロック部により、開方向への移動が可能とされた際に、自重で落下して閉状態となること
を特徴とする請求項１に記載の乾燥装置。
【請求項８】
前記第３のシャッタ部は、閉状態時に、前記第３のロック部と接触して、開方向への移動を抑止する第５のロックバーと、開状態時に、前記第３のロック部と接触して、閉方向への移動を抑止する第６のロックバーと、を備え、前記第３のロック部により、閉方向への移動が可能とされた際に、自重で落下して閉状態となること
を特徴とする請求項３に記載の乾燥装置。
【請求項９】
前記第１のシャッタ部及び前記第２のシャッタ部は、閉方向の端部に、紙詰まりした前記用紙を切断するためのカッター部が設けられていること
を特徴とする請求項１から請求項８のうち、いずれか一項に記載の乾燥装置。
【請求項１０】
用紙にインクを塗布して画像を形成する画像形成機能と、
請求項１から請求項９のうち、いずれか一項に記載の乾燥装置と
を備えることを特徴とする画像形成装置。
【請求項１１】
少なくとも、前記第１のシャッタ部及び前記第２のシャッタ部が閉状態となっていることを示す報知動作、又は、前記第１のシャッタ部から前記第３のシャッタ部が閉状態となっていることを示す報知動作を行う報知部を有すること
を特徴とする請求項１０に記載の画像形成装置。
【請求項１２】
搬入口を介して搬入された、インクが塗布された用紙を、熱源で熱することでインクを乾燥させて搬出口から搬出する乾燥装置の制御方法であって、
前記用紙の紙詰まり時において、第１のシャッタ部で前記搬入口を閉状態とし、
前記用紙の紙詰まり時において、第２のシャッタ部で前記搬出口を閉状態とし、
前記用紙の紙詰まり時において、第３のシャッタ部で前記熱源を遮断し、
前記乾燥装置の内部の温度が所定以下となるまでの間、閉状態とされた前記第１のシャッタ部の、開方向への移動を、第１のロック部で抑止し、
前記乾燥装置の内部の温度が所定以下となるまでの間、閉状態とされた前記第２のシャッタ部の、開方向への移動を、第２のロック部で抑止し、
前記乾燥装置の内部の温度が所定以下となるまでの間、閉状態とされた前記第３のシャッタ部の、開方向への移動を、第３のロック部で抑止すること
を特徴とする乾燥装置の制御方法。
【発明の詳細な説明】
【技術分野】
【０００１】
本発明は、乾燥装置、画像形成装置及び乾燥装置の制御方法に関する。
【背景技術】
【０００２】
今日において、例えば液体吐出ヘッドのノズルから用紙にインク滴を吐出して画像を形成するインクジェットプリンタ装置が知られている。このインクジェットプリンタ装置は、用紙に塗付されたインクを、複数のハロゲンランプ等のヒータで乾燥させる乾燥装置を有している。
【０００３】
ここで、搬送ローラ等に用紙が巻き込まれる、いわゆるジャムが発生した場合、搬送ローラ等の回転駆動が停止され、ヒータの駆動が停止されると共に、冷却部で乾燥装置が冷却処理される。
【０００４】
特許文献１（特開２０１８−００８４７５号公報）には、このような冷却装置を備えた画像形成装置が開示されている。この画像形成装置は、搬送不良が検出された際に、搬送部による用紙の搬送を停止させ、ガイド面の温度を第１温度より低い温度にし、気体吹出口から送風する気体の温度を第２温度より低い温度にして要部の冷却を図る。また、ユーザが開閉可能な前扉をロックして閉状態とし、ユーザが高温の内部に触れる不都合を防止している。
【発明の概要】
【発明が解決しようとする課題】
【０００５】
しかし、高温となる乾燥装置を、より安全なものとすることで、画像形成装置の安全性の向上を図ることが好ましい。
【０００６】
本発明は、上述の課題に鑑みてなされたものであり、乾燥装置を、より安全なものとすることで、乾燥装置を備える機器のさらなる安全性の向上を図ることができる乾燥装置、画像形成装置及び乾燥装置の制御方法の提供を目的とする。
【課題を解決するための手段】
【０００７】
上述した課題を解決し、目的を達成するために、本発明は、搬入口を介して搬入された、インクが塗布された用紙を熱源で熱することで、インクを乾燥させた状態で搬出口から搬出する乾燥装置であって、用紙の紙詰まり時において、搬入口を閉状態とする第１のシャッタ部と、用紙の紙詰まり時において、搬出口を閉状態とする第２のシャッタ部と、用紙の紙詰まり時において、熱源を遮断する第３のシャッタ部と、閉状態とされた第１のシャッタ部の、開方向への移動を抑止する第１のロック部と、閉状態とされた第２のシャッタ部の、開方向への移動を抑止する第２のロック部とを有する。
【発明の効果】
【０００８】
本発明によれば、乾燥装置を、より安全なものとすることができ、乾燥装置を備える機器のさらなる安全性の向上を図ることができるという効果を奏する。
【図面の簡単な説明】
【０００９】
【図１】図１は、第１の実施の形態のＭＦＰの要部の正面図であり、内部に設けられている乾燥装置を透視した状態の図である。
【図２】図２は、乾燥装置のブロック図である。
【図３】図３は、第１の実施の形態のＭＦＰに設けられている報知部を説明するための図である。
【図４】図４は、第２の実施の形態のＭＦＰに設けられている乾燥装置の正面図である。
【図５】図５は、第３の実施の形態のＭＦＰの乾燥装置の正面図である。
【図６】図６は、第４の実施の形態のＭＦＰの乾燥装置の正面図である。
【図７】図７は、第５の実施の形態のＭＦＰの乾燥装置の正面図である。
【発明を実施するための形態】
【００１０】
以下、添付図面を参照して、乾燥装置、画像形成装置及び乾燥装置の制御方法を適用した実施の形態の複合機（ＭＦＰ：Multifunction  Peripheral）の説明をする。
【００１１】
［第１の実施の形態］
（複合機の要部の構成）
図１は、第１の実施の形態のＭＦＰ１の要部の正面図であり、内部に設けられている乾燥装置１００を透視した状態の図である。ＭＦＰ１は、コピー機能、スキャナ機能、プリンタ機能及びファクシミリ送受信機能等の画像形成機能と共に、この図１に示す乾燥装置１００を有している。コピー機能、スキャナ機能、プリンタ機能及びファクシミリ送受信機能は、画像形成機能の一例である。
【００１２】
（乾燥装置の構成）
図１において、乾燥装置１００は、インクが塗布された用紙１１２の搬入口３００側に設けられたローラ１１１ａ及び用紙１１２の搬出口３０１側に設けられたローラ１１１ｂを有している。輪状のベルト１０９は、例えばエアによる吸着機能を有している。輪状のベルト１０９は、各ローラ１１１ａ、１１１ｂで回転駆動されることで、インクが塗布された用紙１１２を、搬送開始側から搬送終了側にかけて搬送するようになっている。
【００１３】
また、乾燥装置１００は、インクが塗布された用紙１１２を、乾燥するための乾燥ヒータ１１０と、乾燥ヒータ１１０の熱を効率良く用紙１１２に伝えるために流路を介して吸気（及び排気）を行う吹付ファン１０８を有している。吹付ファン１０８は、乾燥ヒータ１１０の熱に基づいて熱風を形成し、乾燥装置１００内を搬送されるインクが塗布された用紙１１２に吹き付けることで、インクの乾燥を促す。乾燥ヒータ１１０及び吹付ファン１０８は、熱源の一例である。
【００１４】
また、乾燥装置１００は、用紙１１２の搬入口３００を閉扉するための搬入側シャッタ１０１（第１のシャッタ部の一例）、及び、用紙１１２の搬出口３０１を閉扉するための搬出側シャッタ２０１（第２のシャッタ部の一例）を有している。また、乾燥装置１００は、例えばローラ１１１ａ、１１１ｂ等に用紙１１２が巻き付いて印刷動作等が停止する、いわゆるジャムが発生した際に、乾燥ヒータ１１０の熱風が乾燥装置１００内に流入しないように、吹付ファン１０８及び乾燥ヒータ１１０を遮断するためのファンシャッタ１０７（第３のシャッタ部の一例）を有している。ファンシャッタ１０７は、閉状態とされた際に、吹付ファン１０８及び乾燥ヒータ１１０の直前に位置する。これにより、吹付ファン１０８の吸い込み口が閉扉され、外部からの吸気が遮断される。また、乾燥装置１００内に流入する乾燥ヒータ１１０の熱を遮断する。
【００１５】
また、乾燥装置１００は、搬入口３００を介して乾燥装置１００内に搬入される用紙１１２を検出する搬入口センサ１１７と、搬出口３０１を介して乾燥装置１００外に搬出される用紙１１２を検出する搬出口センサ１１８とを有している。また、乾燥装置１００は、乾燥装置１００の温度を検出する温度センサ１１３を有している。
【００１６】
（搬入側のシャッタの構成）
入り口側シャッタ１０１は、用紙１１２の搬入口３００を閉扉するシャッタ扉１０１ｂと、シャッタ扉１０１ｂの内壁側に、搬入側シャッタ１０１の開閉方向に沿って直線状に設けられたラック１０２と、歯車付きのモータ１０４とを有している。モータ１０４の歯車は、ラック１０２と噛み合っており、モータ１０４を回転駆動させることで、シャッタ扉１０１ｂを、矢印Ａ方向（閉方向）又は矢印Ｂ方向（開方向）に移動させるようになっている。
【００１７】
また、乾燥装置１００は、プランジャ（可動コア）１０３ａを突出させ、また、突出させたプランジャ１０３ａを退避させる、いわゆる両方向駆動型のソレノイド１０３を有している。これと共に、搬入側シャッタ１０１の上端部には、開閉方向に対して、図１の紙面上、二次元に直交する方向に突出したロックバー１０１ａが設けられている。
【００１８】
ソレノイド１０３は、第１のロック部の一例であり、通常時は、プランジャ１０３ａが退避した状態に制御される。しかし、例えばローラ１１１ａ、１１１ｂ等に用紙１１２が巻き付いて印刷動作等が停止する、いわゆるジャムが発生すると、搬入側シャッタ１０１は閉駆動され、用紙１１２の搬入口３００を閉扉する。ソレノイド１０３は、この状態でプランジャ１０３ａを突出するように制御される。突出したプランジャ１０３ａは、閉駆動された搬入側シャッタ１０１のロックバー１０１ａ（第１のロックバーの一例）の直上に位置し、搬入側シャッタ１０１の開方向への移動を抑止する。
【００１９】
（搬出側シャッタの構成）
搬出側シャッタ２０１は、用紙１１２の搬出口３０１を閉扉するシャッタ扉２０１ｂと、シャッタ扉２０１ｂの内壁側に、搬出側シャッタ２０１の開閉方向に沿って直線状に設けられたラック２０２と、歯車付きのモータ２０４とを有している。モータ２０４の歯車は、ラック２０２と噛み合っており、モータ２０４を回転駆動させることで、シャッタ扉２０１ｂを、矢印Ａ方向（閉方向）又は矢印Ｂ方向（開方向）に移動させるようになっている。
【００２０】
また、乾燥装置１００は、プランジャ（可動コア）２０３ａを突出させ、また、突出させたプランジャ２０３ａを退避させる、いわゆる両方向駆動型のソレノイド２０３（第２のロック部の一例）を有している。これと共に、搬出側シャッタ２０１の上端部には、開閉方向に対して、図１の紙面上、二次元に直交する方向に突出したロックバー２０１ａ（第３のロックバーの一例）が設けられている。
【００２１】
ソレノイド２０３は、通常時は、プランジャ２０３ａが退避した状態に制御される。しかし、例えばローラ１１１ａ、１１１ｂ等に用紙１１２が巻き付いて印刷動作等が停止する、いわゆるジャムが発生すると、搬出側シャッタ２０１は閉駆動され、用紙１１２の搬出口３０１を閉扉する。ソレノイド２０３は、この状態でプランジャ２０３ａを突出するように制御される。突出したプランジャ２０３ａは、閉駆動された搬出側シャッタ２０１のロックバー２０１ａの直上に位置し、搬出側シャッタ２０１の開方向への移動を抑止する。
【００２２】
搬入側シャッタ１０１及び搬出側シャッタ２０１は、乾燥装置１００を密閉状態とし、ジャムの発生時から乾燥装置１００内が安全な温度となるまでの間、この密閉状態を維持（ロック状態を維持）することで、高温となっているおそれがある乾燥装置１００内に、ユーザが誤って手を入れる等の不都合を防止する。
【００２３】
なお、ソレノイド１０３、２０３は、電動でプランジャ１０３ａ、２０３ａを突出させ、突出させたプランジャ１０３ａ、２０３ａを手動で退避させる、いわゆる片方向駆動型のソレノイドを用いてもよい。また、ソレノイド１０３と、搬入側シャッタ１０１のロックバー１０１ａとの位置関係は、搬入側シャッタ１０１が閉状態とされた際に、開状態とならないように搬入側シャッタ１０１のロック可能な位置関係であればよい。このため、搬入側シャッタ１０１の中間部分にロックバー１０１ａを設け、これに合わせて、ソレノイド１０３を設けてもよい。
【００２４】
（ファンシャッタの構成）
ファンシャッタ２０１は、閉状態とされた際に、吹付ファン１０８及び乾燥ヒータ１１０の前面に位置することで、吹付ファン１０８及び乾燥ヒータ１１０の前面を被覆する、例えば長方形状を有している。ファンシャッタ２０１の短手辺に相当する両方の側面部には、ファンシャッタ２０１の開閉方向に沿って、直線的にラック１０６、２０６が設けられている。ラック１０６は、モータ１０５の歯車と噛み合っており、ラック２０６は、モータ２０５の歯車と噛み合っている。このため、モータ１０５及びモータ２０５を同期させて回動駆動することで、ファンシャッタ２０１を開方向（Ａ方向）又は閉方向（Ｂ方向）に、移動制御可能となっている。
【００２５】
このようなファンシャッタ２０１は、上述のジャムが発生した際に、閉状態に制御される。これにより、吹付ファン１０８の吸い込み口が閉扉され、外部からの吸気が遮断される。また、乾燥装置１００の熱源を遮断して（熱の発生源を隔離して）、ジャムの発生以降、乾燥ヒータ１１０内に熱風が流入する不都合を防止する。従って、ジャムの発生時に、熱風が乾燥装置１００に流入することで発生することが考えられる不都合を、未然に防止することができる。
【００２６】
（乾燥装置の電気構成）
図２は、乾燥装置１００のブロック図である。この図２に示すように、乾燥装置１００は、上述のローラ１１１ａ及びローラ１１１ｂであるローラ１１１を回転駆動するモータ３０１と、モータ３０１を駆動制御するモータ駆動制御部３０２を有している。また、乾燥装置１００は、熱源となる乾燥ヒータ１１０を駆動するヒータ駆動制御部３０３と、乾燥装置１００内に熱風を流入させる吹付ファン１０８を回転駆動するファン駆動制御部３０４を有している。
【００２７】
また、乾燥装置１００は、搬入側シャッタ１０１のモータ１０４を回転駆動する搬入側シャッタ駆動制御部３０５と、搬出側シャッタ２０１のモータ２０４を回転駆動する搬出側シャッタ駆動制御部３０８とを有している。搬入側シャッタ駆動制御部３０５及び搬出側シャッタ駆動制御部３０８は、同期して、各シャッタ１０１、２０１を駆動制御することが好ましい。
【００２８】
また、乾燥装置１００は、閉状態とされた搬入側シャッタ１０１をロックするソレノイド１０３を駆動する搬入側ロック制御部３０７と、閉状態とされた搬出側シャッタ２０１をロックするソレノイド２０３を駆動する搬入側ロック制御部４０１とを有している。また。乾燥装置１００は、ファンシャッタ１０７の各モータ１０５、２０５を同期させて回転駆動するファンシャッタ駆動部４０２を有している。また、乾燥装置１００は、ユーザに対してジャムの発生等を報知する報知動作を行う報知部４０６、及び、報知部４０６の報知制御を行う報知制御部４０７を有している。
【００２９】
また、乾燥装置１００は、搬入口センサ１１７で検出された用紙１１２の枚数をカウントするカウンタ４０８、及び、搬出口センサ１１８で検出された用紙１１２の枚数をカウントするカウンタ４０９を有している。また、乾燥装置１００は、各カウンタ４０８、４０９のカウント値を比較する比較部４１０を有している。比較部４１０で、搬入口センサ１１７の通過枚数よりも、搬出口センサ１１８の通過枚数が少ないことが検出された場合に、乾燥装置１００内に用紙１１２が残存していることを示す。制御部４１３は、比較部４１０の比較結果に基づいて、乾燥装置１００内における用紙１１２の残存の有無を判別する。
【００３０】
また、乾燥装置１００は、温度センサ１１３で検出された乾燥装置１００の温度と、閾値発生部４１２で発生される閾値温度とを比較する比較部４１１を有している。制御部４１３は、比較部４１１の比較結果に基づいて、乾燥装置１００の温度が、閾値温度以下となったか否かを判別する。制御部４１３は、乾燥装置１００全体の動作を制御し、後述するように各シャッタ１０１、２０１、１０７の開閉制御、報知部４０６を介したジャムの発生等の報知制御、各シャッタ１０１、２０１、１０７のロック解除制御等を行う。
【００３１】
（乾燥装置の通常時の動作）
次に、このような構成を有するＭＦＰ１の乾燥装置１００の動作を説明する。まず、ジャムを発生することなく、無事に印刷が行われている場合、図２に示すモータ駆動制御部３０２は、搬入口３００側のローラ１１１ａ及び搬出口３０１側に設けられたローラ１１１ｂを回転駆動する。これにより、各ローラ１１１ａ、１１１ｂに架けられたベルト１０９が、各ローラ１１１ａ、１１１ｂ間を回動する。そして、インクが塗布された用紙１１２が、ベルト１０９により、乾燥装置１００の搬入口３００から搬入され、搬出口３０１から搬出される。
【００３２】
乾燥装置１００は、乾燥ヒータ１１０及び吹付ファン１０８で形成した熱風を、乾燥装置１００内を搬送される用紙１１２に吹き付けることで、用紙１１２のインクを乾燥させて搬出する。
【００３３】
搬入口センサ１１７は、用紙１１２の搬入を検出する毎に、例えば一つのパルスを形成してカウンタ４０８に供給する。カウンタ４０８は、搬入口センサ１１７からのパルス数をカウントする。これにより、カウンタ４０８のカウント値は、乾燥装置１００内に搬送された用紙１１２の枚数を示すようになる。これに対して、搬出口センサ１１８は、用紙１１２の搬出を検出する毎に、例えば一つのパルスを形成してカウンタ４０９に供給する。カウンタ４０９は、搬出口センサ１１８からのパルス数をカウントする。これにより、カウンタ４０９のカウント値は、乾燥装置１００から搬出された用紙１１２の枚数を示すようになる。
【００３４】
比較部４１０は、各カウンタ４０８、４０９からの各カウント値を比較する。両者が一致している間は、搬入された用紙１１２の枚数と、搬出された用紙１１２の枚数が同数であるため、ジャム等は発生していないことを示す。このため、各カウンタ４０８、４０９からの各カウント値が一致している間は、通常の印刷動作を繰り返し実行する。
【００３５】
（乾燥装置のジャム発生時の動作）
これに対して、搬入側のカウンタ４０８のカウント値よりも、搬出側のカウンタ４０９のカウント値の方が小さな値となった場合、これは、ジャムが発生し、用紙１１２が乾燥装置１００内に残存していることを示す。この場合、モータ駆動制御部３０２は、各モータ１１１ａ、１１１ｂを停止すると共に、ヒータ駆動制御部３０３は、乾燥ヒータ１１０を停止制御する。
【００３６】
また、搬入側シャッタ駆動制御部３０５は、モータ１０４を回転駆動することで、搬入側シャッタ１０１を閉方向（図１中、Ａ方向）に移動させ、搬出側シャッタ駆動制御部３０８は、モータ２０４を回転駆動することで、搬出側シャッタ２０１を閉方向（図１中、Ａ方向）に移動させる。これにより、搬入側シャッタ１０１により、乾燥装置１００の搬入口３００が閉扉され、搬出側シャッタ２０１により、乾燥装置１００の搬出口３０１が閉扉される。
【００３７】
また、このように搬入側シャッタ１０１が閉状態とされると、搬入側ロック制御部３０７は、プランジャ１０３ａを突出させるようにソレノイド１０３を制御する。これにより、閉状態とされた搬入側シャッタ１０１のロックバー１０１ａ上に、ソレノイド１０３から突出したプランジャ１０３ａが位置又は当接し、搬入側シャッタ１０１の開方向への移動を抑止（ロック）する。
【００３８】
同様に、搬出側シャッタ２０１が閉状態とされると、搬出側ロック制御部４０１は、プランジャ２０３ａを突出させるようにソレノイド２０３を制御する。これにより、閉状態とされた搬出側シャッタ２０１のロックバー２０１ａ上に、ソレノイド２０３から突出したプランジャ２０３ａが位置又は当接し、搬出側シャッタ２０１の開方向への移動を抑止（ロック）する。
【００３９】
また、ファンシャッタ駆動制御部４０２は、モータ１０５，２０５を回転駆動することで、ファンシャッタ１０７を閉方向（図１中、Ａ方向）に移動させる。これにより、ファンシャッタ１０７が、乾燥ヒータ１１０及び吹付ファン１０８の直前に位置するように閉扉し、乾燥ヒータ１１０及び吹付ファン１０８を、乾燥装置１００の庫内から遮断（隔離）する。これにより、乾燥ヒータ１１０及び吹付ファン１０８で形成され、乾燥装置１００内に流入する熱風を遮断する。
【００４０】
なお、ファンシャッタ１０７を閉状態とした際に、乾燥ヒータ１１０で形成された熱がファンシャッタ１０７に伝達することが懸念されるが、ジャムが発生した際に、乾燥ヒータ１１０を停止制御することで、ファンシャッタ１０７に伝達する熱は、余熱程度となり、それ程、懸念することはない。
【００４１】
また、この例では、ジャム発生時に、乾燥ヒータ１１０及び吹付ファン１０８を停止制御することとしたが、乾燥ヒータ１１０を停止制御し、吹付ファン１０８の回転駆動状態を維持してもよい。この場合、吹付ファン１０８が冷却ファンとして作用し、乾燥ヒータ１１０を冷却することができる。
【００４２】
さらに、ジャムが発生すると、報知制御部４０７は、ジャムの発生及び乾燥装置１００がロックされていること等を、報知部４０６を介して報知制御する。報知部４０６としては、例えば図３に示すように液晶表示部４０６ａ、温度表示専用の表示パネル４０６ｂ、回転灯４０６ｃ又はスピーカ装置等のうち、いずれか一つ又は複数を用いることができる。
【００４３】
液晶表示部４０６ａを介して報知動作を行う場合、報知制御部４０７は、例えば「ジャムが発生しました。乾燥装置をロックしました。ロックが解除されてから、詰まっている用紙を取り除いてください。」等のメッセージを表示する。また、スピーカ装置を介して報知動作を行う場合、報知制御部４０７は、上述のメッセージの音声出力を行う。また、温度表示専用の表示パネル４０６ｂを介して報知動作を行う場合、報知制御部４０７は、「現在の乾燥装置内の温度は５０度です」等の乾燥装置１００内の温度を表示する。また、回転灯４０６ｃを介して報知動作を行う場合、報知制御部４０７は、回転灯４０６ｃを回転駆動する。これにより、回転灯４０６ｃが、例えば赤、緑、青等の各色の光を発光し、ユーザに対して、ジャムが発生し、乾燥装置１００がロックされたことを報知する。
【００４４】
第１の実施の形態のＭＦＰ１の乾燥装置１００は、ジャムが発生すると、このように搬入側シャッタ１０１及び搬出側シャッタ２０１を閉状態とする。これにより、乾燥装置１００内に、ユーザが手を入れる等の不都合を防止することができる。また、ファンシャッタ１０７を閉状態とすることで、熱源（乾燥ヒータ１１０及び吹付ファン１０８等）を遮断することができ、ジャムが発生している乾燥装置１００内に、熱風が流入することで発生する不都合を未然に防止できる。
【００４５】
次に、搬入側シャッタ１０１、搬出側シャッタ２０１及びファンシャッタ１０７が閉状態とされると、制御部４１３は、乾燥装置１００内の温度を監視する。具体的には、乾燥装置１００内に設けられた温度センサ１１３で検出される乾燥装置１００内の温度と、閾値発生部４１２からの基準となる温度とを比較部４１１で比較し、この比較結果を監視する。基準となる温度は、乾燥装置１００のロックを解除して、ユーザが乾燥装置１００に触れても安全な温度（例えば２０度）である。
【００４６】
制御部４１３は、乾燥装置１００内の温度が閾値で示される基準となる温度以下となったことを検出すると、搬入側ロック制御部３０７及び搬出側ロック制御部４０１に、ロック解除通知を行う。搬入側ロック制御部３０７は、このロック解除通知を受信すると、それまで突出していたプランジャ１０３ａを退避させるように、ソレノイド１０３を制御する。これにより、搬入側シャッタ１０１がロック解除状態となる。同様に、搬出側ロック制御部４０１は、上述のロック解除通知を受信すると、それまで突出していたプランジャ２０３ａを退避させるように、ソレノイド２０３を制御する。これにより、搬出側シャッタ２０１がロック解除状態となる。
【００４７】
なお、この例では、ソレノイド１０３及びソレノイド２０３は、両方向駆動型であるため、プランジャ１０３ａ及びプランジャ２０３ａの突出及び退避は電動制御可能である。しかし、ソレノイド１０３及びソレノイド２０３が、プランジャの突出のみ電動制御可能な片方向駆動型である場合、乾燥装置１００が安全な温度となった際に、例えば液晶表示部４０６ａに「ロックを手動で解除してください」等のメッセージを表示して、プランジャの手動退避を促すことが好ましい。
【００４８】
次に、搬入側シャッタ１０１及び搬出側シャッタ２０１のロックが解除されると、搬入側シャッタ駆動制御部３０５、搬出側シャッタ駆動制御部３０８、ファンシャッタ駆動制御部４０２に対して、シャッタの開制御通知を行う。搬入側シャッタ駆動制御部３０５は、この開制御通知を受信すると、モータ１０４を開方向に回転駆動し、搬入側シャッタ１０１を開方向（図１の矢印Ｂ方向）に移動させる。これにより、乾燥装置１００の搬入口３００が開放される。同様に、搬出側シャッタ駆動制御部３０８は、開制御通知を受信すると、モータ２０４を開方向に回転駆動し、搬出側シャッタ２０１を開方向（図１の矢印Ｂ方向）に移動させる。これにより、乾燥装置１００の搬出口３０１が開放される。
【００４９】
また、ファンシャッタ駆動制御部４０２は、開制御通知を受信すると、モータ１０５、２０５を開方向に回転駆動し、ファンシャッタ１０７を開方向（図１の矢印Ｂ方向）に移動させる。これにより、乾燥装置１００の乾燥ヒータ１１０及び吹付ファン１０８が露出した状態となる。なお、各シャッタ１０１、２０１、１０７が開状態とされた時点では、乾燥ヒータ１１０及び吹付ファン１０８の再駆動はされず、停止したままの状態に制御される。
【００５０】
このように各シャッタ１０１、２０１、１０７が開状態とすると、報知制御部４０７は、例えば「紙詰まりを取り除いてください」等のメッセージの報知を、報知部４０６を介して行う。これにより、ユーザは、手動で紙詰まりを取り除く。上述のように、乾燥装置１００内の温度が安全な温度とならなければ、ユーザは、乾燥装置１００内に手を入れることはできないため、安全に紙詰まりを取り除く作業を行うことができる。
【００５１】
ユーザは、紙詰まりを取り除くと、再起動を指示する操作を行う。この再起動が指示されると、制御部４１３は、紙詰まりが残っていないか、また、扉は閉まっているか等の自己診断を行い、再起動してもよいと判断した際に、乾燥ヒータ１１０及び吹付ファン１０８を再駆動して印刷を再開する。
【００５２】
（第１の実施の形態の効果）
以上の説明から明らかなように、第１の実施の形態のＭＦＰ１の乾燥装置１００は、ジャムを検出した際に、搬入側シャッタ１０１及び搬出側シャッタ２０１を閉状態として、第１の実施の形態のＭＦＰ１の乾燥装置１００を密閉状態とする。また、ファンシャッタ１０７を閉状態として、熱源を遮断する。そして、この状態を、乾燥装置１００内の温度が安全な温度に低下するまでの間、維持（ロック）する。
【００５３】
これにより、ジャム発生直後で、高温となっている乾燥装置１００内に、ユーザが手を入れる等の不都合を防止することができる。また、乾燥ヒータ１１０及び吹付ファン１０８等の熱源を、ファンシャッタ１０７で乾燥装置１００から遮断することで、ジャムが発生している乾燥装置１００内に、熱風が流入することで発生する不都合を未然に防止できる。従って、乾燥装置１００の温度が、ジャム発生時の温度以上に高温となる不都合を防止でき、乾燥装置１００を、より安全なものとして、ＭＦＰ１の安全性の向上を図ることができる。
【００５４】
［第２の実施の形態］
次に、第２の実施の形態のＭＦＰの説明をする。なお、この第２の実施の形態の説明において、上述の第１の実施の形態との差異の説明のみ行うことで、重複した説明は省略する。
【００５５】
図４は、第２の実施の形態のＭＦＰ１に設けられている乾燥装置１００の正面図である。この図４に示すように、第２の実施の形態のＭＦＰ１の場合、搬入側シャッタ１０１のロックバー１０１ａが設けられている端部に対して反対側となる端部にカッター５００が設けられている。同様に、第２の実施の形態のＭＦＰ１の場合、搬入側シャッタ２０１のロックバー２０１ａが設けられている端部に対して反対側となる端部にカッター５０１が設けられている。
【００５６】
そして、ジャム発生時に、搬入側シャッタ１０１及び搬出側シャッタ２０１を閉状態にする際に、搬入口３００側又は搬出口３０１側に露出している用紙１１２が存在する場合、この用紙１１２をカッター５００、５０１（カッター部の一例）で切断して搬入側シャッタ１０１及び搬出側シャッタ２０１を閉状態とする。
【００５７】
これにより、用紙１１２を切断して取り除いたうえで、搬入側シャッタ１０１及び搬出側シャッタ２０１を閉状態とすることができる。このため、閉状態とした搬入側シャッタ１０１及び搬出側シャッタ２０１による密閉度を維持できる他、上述の実施の形態と同様の効果を得ることができる。
【００５８】
［第３の実施の形態］
次に、第３の実施の形態のＭＦＰの説明をする。なお、この第３の実施の形態の説明において、上述の第２の実施の形態との差異の説明のみ行うことで、重複した説明は省略する。
【００５９】
この第３の実施の形態のＭＦＰ１は、クラッチ及びソレノイド等を用いて、シャッタを落とす構成として、用紙１１２を、より切断し易くした例である。図５は、この第３の実施の形態のＭＦＰ１の乾燥装置１００の正面図である。この図５に示すように、第３の実施の形態のＭＦＰ１の乾燥装置１００は、ロックバー１０１ａを有する搬入側シャッタ１０１の中段に、さらにロックバー１０１ｃ（第２のロックバーの一例）が設けられている。同様に、ロックバー２０１ａを有する搬入側シャッタ２０１の中段に、さらにロックバー２０１ｃ（第４のロックバーの一例）が設けられている。
【００６０】
搬入側シャッタ１０１を閉状態とした際に、ロックバー１０１ａの直上に位置して搬入側シャッタ１０１の開方向への移動を抑止するソレノイド１０３は、搬入側シャッタ１０１を開状態とした際に、プランジャ１０３ａを突出させるように制御される。そして、突出させたプランジャ１０３ａで、中段のロックバー１０１ｃを支持することで、搬入側シャッタ１０１の開状態を維持する。
【００６１】
搬入側シャッタ１０１を閉状態とする際には、ソレノイド１０３のプランジャ１０３ａを退避させる。これにより、中段のロックバー１０１ｃによる搬入側シャッタ１０１の支持が解除され、搬入側シャッタ１０１が自重で落下する。そして、搬入側シャッタ１０１が閉状態となると共に、搬入口３００近辺で紙詰まりを生じている用紙１１２を切断して、搬入側シャッタ１０１による密閉度を維持する。なお、搬入側シャッタ１０１が閉状態となると、突出するように駆動されるソレノイド１０３のプランジャ１０３ａにより、ロックバー１０１ａを介して搬入側シャッタ１０１が閉状態でロックされることは、上述のとおりである。
【００６２】
同様に、搬出側シャッタ２０１を閉状態とした際に、ロックバー２０１ａの直上に位置して搬出側シャッタ２０１の開方向への移動を抑止するソレノイド２０３は、搬出側シャッタ２０１を開状態とした際に、プランジャ２０３ａを突出させるように制御される。そして、突出させたプランジャ２０３ａで、中段のロックバー２０１ｃを支持することで、搬出側シャッタ２０１の開状態を維持する。
【００６３】
搬出側シャッタ２０１を閉状態とする際には、ソレノイド２０３のプランジャ２０３ａを退避させる。これにより、中段のロックバー２０１ｃによる搬出側シャッタ２０１の支持が解除され、搬出側シャッタ２０１が自重で落下する。そして、搬出側シャッタ２０１が閉状態となると共に、搬出口３０１近辺で紙詰まりを生じている用紙１１２を切断して、搬出側シャッタ２０１による密閉度を維持する。なお、搬出側シャッタ２０１が閉状態となると、突出するように駆動されるソレノイド２０３のプランジャ２０３ａにより、ロックバー２０１ａを介して搬出側シャッタ２０１が閉状態でロックされることは、上述のとおりである。
【００６４】
なお、上述の各実施の形態の説明では、ファンシャッタ１０７は、モータ１０５，２０５で開閉制御した。これに対して、図５の例は、ファンシャッタ１０７もソレノイド６００（第３のロック部の一例）で開閉制御する例である。
【００６５】
ソレノイド６００とファンシャッタ１０７の位置関係は、ファンシャッタ１０７が開状態のときには、ソレノイド６００のプランジャ６００ａでロックバー１０７ｂ（第６のロックバーの一例）を介してファンシャッタ１０７が支持され、ファンシャッタ１０７の開状態が維持される位置関係である。また、ファンシャッタ１０７が閉状態とすると、ソレノイド６００のプランジャ６００ａがロックバー１０７ａ（第５のロックバーの一例）の直上に位置し、ファンシャッタ１０７の開方向への移動を抑止する位置関係である。
【００６６】
ファンシャッタ１０７の開状態時には、ソレノイド６００のプランジャ６００ａが突出するように制御されており、プランジャ６００ａでロックバー１０７ｂを介してファンシャッタ１０７を支持して、ファンシャッタ１０７の開状態を維持する。
【００６７】
ファンシャッタ１０７を閉状態に移行させる際には、ソレノイド６００のプランジャ６００ａを退避するように制御する。これにより、ファンシャッタ１０７が自重で落下し、乾燥ヒータ１１０及び吹付ファン１０８が、ファンシャッタ１０７により乾燥装置１００から遮断（隔離）される。ファンシャッタ１０７が閉状態となると、ソレノイド６００のプランジャ６００ａが突出するように制御される。これにより、プランジャ６００ａがロックバー１０７ａの直上に位置し、ファンシャッタ１０７の開方向への移動を抑止する。
【００６８】
閉状態でロックされた搬入側シャッタ１０１、搬出側シャッタ２０１及びファンシャッタ１０７は、乾燥装置１００内の温度が所定以下に下がることで解除されることは、上述のとおりである。
【００６９】
このような第３の実施の形態のＭＦＰ１の乾燥装置１００は、各シャッタ１０１、２０１、１０７が自重で落下することで、モータ制御の場合よりも速い速度で用紙１１２に当接し、容易に分断可能とすることができる。また、一つのソレノイドで、各シャッタ１０１、２０１、１０７を開状態、閉状態、及び、ロック状態に制御できる他、上述の第２の実施の形態と同様の効果を得ることができる。
【００７０】
［第４の実施の形態］
次に、第４の実施の形態のＭＦＰの説明をする。なお、この第４の実施の形態の説明において、上述の各実施の形態との差異の説明のみ行うことで、重複した説明は省略する。
【００７１】
図６は、第４の実施の形態のＭＦＰ１の乾燥装置１００の正面図である。この図６は、上述の各シャッタ１０１、２０１、１０７等の図示は省略してあるが、上述の各実施の形態の構成を備えているものと理解されたい。すなわち、第４の実施の形態のＭＦＰ１の乾燥装置１００は、上述の各実施の形態の構成と共に、乾燥装置１００の筐体を外側から冷却する一つ又は複数の冷却するファン７００（空冷の一例）を有している。
【００７２】
この第６の実施の形態のＭＦＰ１の乾燥装置１００の場合、制御部４１３は、ジャムが発生すると、上述のように各シャッタ１０１、２０１、１０７を閉状態に制御すると共に、ファン７００を回転駆動する。
【００７３】
これにより、乾燥装置１００を外部から冷却でき、乾燥装置１００内の温度を短時間で安全な温度まで下げることができる。従って、ジャムの発生から、ロックが解除され、印刷が再開されるまでに要する時間を短縮化できる他、上述の各実施の形態と同様の効果を得ることができる。
【００７４】
［第５の実施の形態］
次に、第５の実施の形態のＭＦＰの説明をする。なお、この第５の実施の形態の説明において、上述の各実施の形態との差異の説明のみ行うことで、重複した説明は省略する。
【００７５】
図７は、第５の実施の形態のＭＦＰ１の乾燥装置１００の正面図である。この図７は、上述の各シャッタ１０１、２０１、１０７等の図示は省略してあるが、上述の各実施の形態の構成を備えているものと理解されたい。すなわち、第５の実施の形態のＭＦＰ１の乾燥装置１００は、上述の各実施の形態の構成と共に、乾燥装置１００の周囲に冷却用パイプ８００を備えている。そして、制御部４１３は、ジャム発生時に、この冷却用パイプ８００に冷却液（水冷の一例）を流すように、冷却液巡回装置を駆動制御する。
【００７６】
これにより、外部から乾燥装置１００を、より冷却でき、乾燥装置１００内の温度を、より短時間で安全な温度まで下げることができる。従って、ジャムの発生から、ロックが解除され、印刷が再開されるまでに要する時間を短縮化できる他、上述の各実施の形態と同様の効果を得ることができる。
【００７７】
最後に、上述の各実施の形態は、一例として提示したものであり、本発明の範囲を限定することは意図していない。この新規な各実施の形態は、その他の様々な形態で実施されることが可能であり、発明の要旨を逸脱しない範囲で、種々の省略、置き換え、変更を行うことも可能である。また、各実施の形態及び各実施の形態の変形は、発明の範囲や要旨に含まれると共に、特許請求の範囲に記載された発明とその均等の範囲に含まれるものである。
【符号の説明】
【００７８】
１  ＭＦＰ
１００  乾燥装置
１０１  搬入側シャッタ
１０１ａ  上端部のロックバー
１０１ｂ  シャッタ扉
１０１ｃ  中段のロックバー
１０２  ラック
１０３  ソレノイド
１０３ａ  プランジャ
１０４  モータ
１０５  モータ
１０６  ラック
１０７  ファンシャッタ
１０７ａ  ロックバー
１０７ｂ  ロックバー
１０８  吹付ファン
１０９  ベルト
１１０  乾燥ヒータ
１１１ａ  搬入側のローラ
１１１ｂ  搬出側のローラ
１１２  用紙
１１３  温度センサ
１１７  搬入口センサ
１１８  搬出口センサ
２０１  搬出側シャッタ
２０１ａ  上端部のロックバー
２０１ｂ  シャッタ扉
２０１ｃ  中段のロックバー
２０２  ラック
２０３  ソレノイド
２０３ａ  プランジャバー
２０４  モータ
２０５  モータ
３００  搬入口
３０１  搬出口
３０３  ヒータ駆動制御部
３０４  ファン駆動制御部
３０５  搬入側シャッタ駆動制御部
３０７  搬入側ロック制御部
３０８  搬出側シャッタ駆動制御部
４０１  搬出側ロック制御部
４０２  ファンシャッタ駆動制御部
４０６  報知部
４０６ａ  液晶表示部
４０６ｂ  温度表示専用の表示パネル
４０６ｃ  回転灯
４０７  報知制御部
４０８  カウンタ
４０９  カウンタ
４１０  比較部
４１１  比較部
４１２  閾値発生部
４１３  制御部
５００  カッター
【先行技術文献】
【特許文献】
【００７９】
【特許文献１】特開２０１８−００８４７５号公報
【図１】
2020128050.tif 000003
【図２】
2020128050.tif 000004
【図３】
2020128050.tif 000005
【図４】
2020128050.tif 000006
【図５】
2020128050.tif 000007
【図６】
2020128050.tif 000008
【図７】
2020128050.tif 000009